(57)【要約】【課題】シート材積載台の使用しない時の回動を防止して、ぶつかり不意に破損する恐れなどがなくコンパクトで操作性の良いシート材給送装置、及びそのシート材給送装置を備える画像形成装置を提供する。【解決手段】シート材（Ｓ）を積載するシート材積載台１と、前記シート材積載台１の回動中心部を支持する支持軸２と、前記支持軸２に支持される前記シート材積載台１を回動可能に支持する第一の回動手段３と、前記シート材積載台１の回動中心方向に前記支持軸２上を摺動する第二の回動手段４と、前記第二の回動手段４の回動方向を規制する回動規制手段５と、前記第二の回動手段４を摺動させる摺動手段６を備える。【選択図】図２
2007112596.tif 000002
【特許請求の範囲】
【請求項１】
装置本体によりシート材積載台を開閉自在に軸支し且つシート積載台上のシート材を一枚ずつ給送するシート材給送装置において、前記シート材積載台の回動中心部を支持する支持軸と、前記支持軸を回動可能に支持する第一の回動手段と、前記シート材積載台の回動中心方向に前記支持軸上を摺動する第二の回動手段と、前記第二の回動手段の回動を規制する回動規制手段と、前記第二の回動手段を摺動させて前記回動規制手段との係合を解除する摺動手段と、を備えることを特徴とするシート材給送装置。
【請求項２】
前記第一の回動手段は、前記シート材積載台と一体の前記支持軸を回動自在に支持する筺体部分に設けた固定軸穴であることを特徴とする請求項１に記載のシート材給送装置。
【請求項３】
前記筺体部分は、装置本体の内部を覆うカバー部材であることを特徴とする請求項１に記載のシート材給送装置。
【請求項４】
前記第一の回動手段は、筺体部分と一体の前記支持軸に前記シート材積載台を回動自在に支持する前記シート材積載台に設けた回動軸穴であることを特徴とする請求項１に記載のシート材給送装置。
【請求項５】
前記第二の回動手段は、前記回動規制手段の回動方向の規制を解除する方向に付勢する付勢手段を備えることを特徴とする請求項１乃至４のいずれか一項に記載のシート材給送装置。
【請求項６】
前記回動規制手段は、前記第二の回動手段に形成するカム形状のストッパ部と、前記ストッパ部と当接するストッパと、を備えることを特徴とする請求項１乃至５のいずれか一項に記載のシート材給送装置。
【請求項７】
前記回動規制手段は、前記第二の回動手段に設けたワンウエイトルクリミッタを備えることを特徴とする請求項１乃至５のいずれか一項に記載のシート材給送装置。
【請求項８】
前記摺動手段は、前記第二の回動手段を摺動させる操作部を備えることを特徴とする請求項１乃至７のいずれか一項に記載のシート材給送装置。
【請求項９】
前記摺動手段は、前記シート材積載台の前面に露出する露出部を備えることを特徴とする請求項１乃至８のいずれか一項に記載のシート材給送装置。
【請求項１０】
前記摺動手段は、前記第二の回動手段を摺動させる移動方向を案内する案内手段を備えることを特徴とする請求項１乃至９のいずれか一項に記載のシート材給送装置。
【請求項１１】
給送するシート材に画像を形成する画像形成装置において、画像を形成する画像形成ユニットと、請求項１乃至１０のいずれか一項に記載の前記シート材給送装置を備えることを特徴とする画像形成装置。
【請求項１２】
請求項１１に記載の画像形成装置において、前記画像形成ユニットは、電子写真方式の作像プロセスでトナーの記録画像を形成することを特徴とする画像形成装置。
【発明の詳細な説明】
【技術分野】
【０００１】
本発明は、シート材給送装置、及びそのシート材給送装置を備える画像形成装置に関する。詳しくは、本発明は、回動して開閉する積載台上のシート材を１枚ずつ分離して給送するシート材給送装置、及びそのシート材給送装置の給送するシート材に画像を形成するインクジェット方式などの印刷機や電子写真方法の作像プロセスで画像を形成する複写機、ファクシミリ装置、プリンタあるいはこれ等の複合機等の画像形成装置に関する。
【背景技術】
【０００２】
従来のシート材給送装置、及びそのシート材給送装置を備える画像形成装置において複写機等のカバーに回動自在に設けられた給紙台を使用時に回動させることにより使用可能とする方式が用いられている。
図９は、回動自在な給紙台２０１を使用時に開放方向へ回動させることにより使用可能とする方式の給紙装置２１０の基本構成を示す斜視図である。
給紙装置２１０は、支点２０２を中心に図示の矢印（Ａ）方向に回動自在に支持された給紙台２０１と、図示しない駆動装置により回転駆動され給紙台２０１に積載されたシートを搬送する給紙ローラ２０３と、給紙ローラ２０３に当接されるシートを１枚ずつに分離する分離パッド２０４と、分離パッド２０４を保持するパッド台２０５と、分離パッド２０４を給紙ローラ２０３に当接させる図示しない分離スプリングなどが設けられている。
分離パッド２０４には摩擦係数が高く安価なゴムコルクが用いられることが多い。また、この給紙装置２１０は、通常使用時に給紙台２０１が開いている状態では、使用者が不意に給紙台２０１に当たって破損したりするのを防止するため、使用しない時には、図示しない画像形成装置に回動自在に設けられているカバー２０７に収納されている。また、収納時には不意に給紙台２０１が開いたりしないようにストッパ２０８が設けられており、給紙台２０１の図示しない引っ掛かり部と係合している。また同様な構成で、特許文献１に記載されるロック部材にロック爪を係合することも知られている。
しかしこのような給紙台２０1は、カバー２０７と支点２０２で支持されているため、カバー２０７がねじれた場合、カバー２０７のねじれが給紙台２０1のねじれに伝わらない。そのため、カバー２０７の開閉時にカバー２０７がねじれると、ストッパ２０８が外れ、給紙台２０１が回動してしまい給紙台２０１をぶつけたりして破損することがあった。そこでストッパ２０８を磁石等の強力な吸着部材にすることも考えられる。
このような不具合を解決するために、特許文献２に開示されるように、給紙台を支持する軸を回動中心方向に摺動自在に設け、支持軸にトーションスプリングを取り付け、トーションスプリングの荷重により給紙台の回動位置を規制する方式が考えられている。
【０００３】
また、回動時の破損防止として、特許文献３に開示されるように、給紙台の支点部に切り込みを設け、給紙台への荷重が大きい場合に給紙台が支点から外れる方式も考えられている。
しかし、図９に図示するストッパ２０８を磁石等の強力な吸着部材にする方法では、カバー２０７と給紙台２０１の吸着力の回動防止力はそのまま回動時の操作に対する抵抗力となるため、これを大きくすると、回動が困難となって操作性が悪くなってしまう。
また、特許文献２に開示された給紙装置では、給紙台に隣接するスペースが大きく必要となる。しかし、給紙台を画像形成装置の前面とする場合、装置のデザイン性も必要となるため片側に大きなスペースがあるとデザインに制約ができてしまう。また、給紙台をカバーに収納した状態を維持するためには強力なトーションスプリングの荷重が必要となるが、回動時の操作力はトーションスプリングの荷重とほぼ同じ大きさになるため、これを大きくすると回動が困難となって操作性が悪くなってしまう。
そして、特許文献３に開示された装置では、破損防止のため給紙台が外れる構成になっており、外れた後に給紙台を再度利用するためには、給紙台を再セットしないと使用できなくなる。
【特許文献１】特開２００４−１９６５１１公報
【特許文献２】特許第３４６７１５６号
【特許文献３】実公昭６２−２１８９号公報
【発明の開示】
【発明が解決しようとする課題】
【０００４】
従来のシート材給送装置、及びそのシート材給送装置を備える画像形成装置においては、シートを積載する給紙台が不用意に回動して他の物体と衝突して破損することがあり、給紙台の回動防止力を強化すると回動が困難で操作性が悪く大きなスペースが必要でデザインも制約されると言う問題が発生していた。
そこで本発明の課題は、このような問題点を解決するものである。即ち、シート材積載台の使用しない時の回動を防止して、他の物体と衝突して破損する恐れなどがなくコンパクトで操作性の良いシート材給送装置、及びそのシート材給送装置を備える画像形成装置を提供することを目的とする。
【課題を解決するための手段】
【０００５】
上記目的を達成するために、請求項１に記載の本発明は、回動して開閉する積載台上のシート材を１枚ずつ分離して給送するシート材給送装置において、シート材を積載するシート材積載台と、前記シート材積載台の回動中心部を支持する支持軸と、前記支持軸に支持される前記シート材積載台を回動可能に支持する第一の回動手段と、前記シート材積載台の回動中心方向に前記支持軸上を摺動する第二の回動手段と、前記第二の回動手段の回動方向を規制する回動規制手段と、前記第二の回動手段を摺動させる摺動手段を備えるシート材給送装置であることを特徴とする。
又は、請求項２に記載の本発明は、請求項１に記載のシート材給送装置において、前記第一の回動手段は、前記シート材積載台と一体の前記支持軸を回動自在に支持する筺体部分に設けた固定軸穴であるシート材給送装置であることを特徴とする。
又は、請求項３に記載の本発明は、請求項２に記載のシート材給送装置において、前記筺体部分は、装置の内部を覆うカバー部材であるシート材給送装置であることを特徴とする。
又は、請求項４に記載の本発明は、請求項１に記載のシート材給送装置において、前記第一の回動手段は、筺体部分と一体の前記支持軸に前記シート材積載台を回動自在に支持する前記シート材積載台に設けた回動軸穴であるシート材給送装置であることを特徴とする。
又は、請求項５に記載の本発明は、請求項１乃至４のいずれか一項に記載のシート材給送装置において、前記第二の回動手段は、前記回動規制手段の回動方向の規制を解除する方向に付勢する付勢手段を備えるシート材給送装置であることを特徴とする。
【０００６】
又は、請求項６に記載の本発明は、請求項１乃至５のいずれか一項に記載のシート材給送装置において、前記回動規制手段は、前記第二の回動手段に形成するカム形状のストッパ部と、前記ストッパ部と当接するストッパを備えるシート材給送装置であることを特徴とする。
又は、請求項７に記載の本発明は、請求項１乃至５のいずれか一項に記載のシート材給送装置において、前記回動規制手段は、前記第二の回動手段に設けるワンウエイトルクリミッタを備えるシート材給送装置であることを特徴とする。
又は、請求項８に記載の本発明は、請求項１乃至７のいずれか一項に記載のシート材給送装置において、前記摺動手段は、前記第二の回動手段を摺動させる操作部を備えるシート材給送装置であることを特徴とする。
又は、請求項９に記載の本発明は、請求項１乃至８のいずれか一項に記載のシート材給送装置において、前記摺動手段は、前記シート材積載台１の前面に露出する露出部を備えるシート材給送装置であることを特徴とする。
又は、請求項１０に記載の本発明は、請求項１乃至９のいずれか一項に記載のシート材給送装置において、前記摺動手段は、前記第二の回動手段を摺動させる移動方向を案内する案内手段を備えるシート材給送装置であることを特徴とする。
又は、請求項１１に記載の本発明は、給送するシート材に画像を形成する画像形成装置において、画像を形成する画像形成ユニットと、請求項１乃至１０のいずれか一項に記載の前記シート材給送装置を備える画像形成装置であることを特徴とする。
又は、請求項１２に記載の本発明は、請求項１１に記載の画像形成装置において、前記画像形成ユニットは、電子写真方式の作像プロセスでトナーの記録画像を形成する画像形成装置であることを特徴とする。
【発明の効果】
【０００７】
本発明によれば、シート材積載台を使用しない時の回動を防止して、衝突による破損を防止し、コンパクトで操作性の良いシート材給送装置、及びそのシート材給送装置を備える画像形成装置を提供することが出来る。
【発明を実施するための最良の形態】
【０００８】
以下に、本発明の実施形態を、図面を参照して詳細に説明する。
図１は、本発明の実施の形態例にかかるシート材給送装置１０の基本構成を示す斜視図である。
図１において、シート材給送装置１０の基本構成を説明する。装置本体の筺体部分７のカバー部材７０には回動支持部１１の回動中心を支点１２として回動自在に支持されたシート材積載台１と、図示しない駆動装置により回転駆動されシート材積載台１に積載される被記録媒体の記録用紙やＯＨＰ用の図示し乃至ト材（Ｓ）を給送する給送ローラ１２と、給送ローラ１２に当接されシート材（Ｓ）を１枚ずつに分離する分離パッド１３と、分離パッド１３を保持するパッド台１４が設けられている。
シート材積載台１には回動自在に支持された底板１５と、シート材（Ｓ）を積載するシート材積載台１のシート材搬送方向先端部に分離パッド１３を給紙ローラ１２に当接させる図示しない弾性部材が設けられている。
図２は、本発明の実施の形態例にかかるシート材給送装置１０の回動支持部１１を示す拡大平面図（収納状態）である。
図３は、本発明の実施の形態例にかかるシート材給送装置１０の回動支持部１１を示す拡大斜視図である。
図２において、シート材給送装置１０の第一実施形態を説明する。回動支持部１１におけるシート材積載台１の支点１２となる回動中心部の構成は、底板１５上にシート材（Ｓ）を積載するためのシート材積載台１と、シート材積載台１の回動中心部を支持する支持軸２と、支持軸２に支持されるシート材積載台１を回動可能に支持する第一の回動手段３である固定軸穴３０を備えている。固定軸穴３０は、カバー部材７０に設けられてシート材積載台１と一体の支持軸２を回動自在に支持する。要するに、シート材積載台１は支持軸２の一部をカバー部材７０側の固定軸穴３０に嵌合させることにより開閉自在に支持される。支持軸２は例えばシート材積載台１側に固定されると共に、固定側であるカバー部材７０により回動自在に軸支される。
【０００９】
さらにシート材積載台１の図示の矢印（Ｂ）方向または逆方向の回動中心方向に支持軸２上を摺動する第二の回動手段４と、第二の回動手段４の図３に図示する矢印（Ｃ）方向の回動方向を規制する回動規制手段５の第二の回動手段４に形成するカム形状のストッパ部５０とそのストッパ部５０と当接するストッパ５１と、第二の回動手段４を図示の矢印（Ｂ）方向又は逆方向に摺動させるために図示の矢印（Ｄ）方向又は矢印（Ｅ）方向に移動する摺動手段６などを備えている。
さらにストッパ部５０を形成した第二の回動手段４は、回動規制手段５のストッパ部５０とストッパ５１との当接を解除して回動の規制を解除する方向に付勢する付勢手段４０の弾性部材を有する。
尚、第二の回動手段４は、支持軸２上を図示の矢印（Ｂ）方向または逆方向の回動中心方向に摺動自在に設けられているが、図示しないストッパにより支持軸２と同時に回動するように設けられている。つまり、第二の回動手段４は、例えば支持軸２によって軸方向への移動は可能であるが、回転方向には一体化されている（回転を禁止されている）。
要するに、支持軸２の一部によって軸方向へ摺動自在に支持された第二の回動手段４は、そのストッパ部５０にストッパ５１が接離することによって回動を規制されたり規制解除される。付勢手段４０によって一方へ付勢された第二の回動手段４は摺動手段６のカム面６ａによって押圧されることによって付勢手段４０に抗して軸方向へ移動することが可能となる。
【００１０】
次にシート材給送装置１０の第一実施形態の動作を説明する。カバー部材７０には、第二の回動手段４に形成するカム形状のストッパ部５０と当接するストッパ５１が設けられており、シート材積載台１がカバー部材７０の図示しない部分に収納された図２と図３の状態では、ストッパ部５０と、ストッパ５１が当接してシート材積載台１の回動を確実に防止する。
図４は、本発明の実施の形態例にかかるシート材給送装置１０のシート材積載台１の回動する状態を示す拡大断面図である。
シート材積載台１を使用するときの操作は、摺動手段６の操作部６０を図示の矢印（Ｅ）方向に作動させると、案内手段８の案内溝８０と案内ピン８１と８２の摺動により第二の回動手段４に形成するストッパ部５０が付勢手段４０により支持軸２上の回動中心方向を図示の矢印（Ｂ）方向に摺動する。この動作によりストッパ部５０と、ストッパ５１が当接しなくなり、シート材積載台１は回動することができる。
即ち摺動手段６の操作部６０を操作してロック状態を解除しない限り、シート材積載台１が不意に回動（開放）することがない。また、シート材積載台１を回動させる操作力がシート材積載台１の回動防止力と同じではないため、回動防止力が大きくなっても快適な操作性を維持することができる。
従って、シート材積載台１の使用しない時の回動を防止して、近傍にある物体と衝突して破損する恐れなどがなくコンパクトで操作性の良いシート材給送装置１０を提供することが出来る。
図５は、本発明の実施の形態例にかかるシート材給送装置１０のシート材積載台１の前面構成を示す斜視図である。
図５において、シート材給送装置１０のシート材積載台１の前面には、摺動手段６の露出部６１を目視できる開口部１６が設けられており、摺動手段６が前面から認識しやすくなっている。
従って、摺動手段６の一部は、シート材積載台１の前面に露出しているので、摺動手段６の位置が容易に認識できるので、摺動手段６の操作忘れを防止でき、シート材積載台１を破損することがない。
【００１１】
次に、シート材給送装置１０の第二実施形態を説明する。
図６は、本発明の第二の実施の形態例にかかるシート材給送装置１０の回動支持部１１を示す拡大断面図である。
図６において、シート材給送装置１０の第二実施形態を説明する。回動支持部１１におけるシート材積載台１の支点１２となる回動中心部の構成は、底板１５上にシート材（Ｓ）を積載するシート材積載台１と、シート材積載台１の回動中心部を支持する支持軸２と、支持軸２に支持されるシート材積載台１を回動可能に支持する第一の回動手段３である回動軸穴３１を備えている。回動軸穴３１は、シート材積載台１に設けられて、カバー部材７０と一体の支持軸２にシート材積載台１を回動自在に支持する。
さらにシート材積載台１の図示の矢印（Ｂ）方向または逆方向の回動中心方向に支持軸２上を軸方向へ摺動する第二の回動手段４と、第二の回動手段４の回動方向を規制する第二の回動手段４に設けるワンウェイトルクリミッタ５２と、第二の回動手段４を図示の矢印（Ｂ）方向または逆方向に摺動させる摺動手段６などを備えている。
ワンウェイトルクリミッタ５２を設けた第二の回動手段４は、回動規制手段５としてのワンウェイトルクリミッタ５２の回動方向の規制を解除する方向に付勢する付勢手段４０の弾性部材を有する。
第二の回動手段４に設けたワンウェイトルクリミッタ５２は、第二の回動手段４と共に支持軸２上を図示の矢印（Ｂ）方向または逆方向のシート材積載台１の回動中心方向に摺動自在であり、かつシート材積載台１の回動方向にはシート材積載台１と同時に回動するように設けられ、シート材積載台１をカバー部材７０に収納する方向に回動自在に設定されており、逆方向にはシート材積載台１が破損しない程度の所定のトルクで回動を防止している。
摺動手段６には、ワンウェイトルクリミッタ５２を支持軸２に嵌合（係合＝固定）させる方向に付勢する弾性部材６２が設けられている。
【００１２】
図７は、本発明の第二の実施の形態例にかかるシート材給送装置１０のシート材積載台１の回動する状態を示す拡大断面図である。
シート材給送装置１０の第二実施形態の動作を説明する。図６に図示のシート材積載台１がカバー部材７０の図示しない部分に収納された状態では、ワンウェイトルクリミッタ５２のトルクにより、シート材積載台１の回動を防止する。
しかしシート材積載台１を使用するときには、操作部６０を図示の矢印（Ｅ）方向に作動させると、案内手段８により第二の回動手段４に設けたワンウェイトルクリミッタ５２が付勢手段４０により支持軸２上の回動中心方向を図示の矢印（Ｂ）方向に摺動する。この動作によりワンウェイトルクリミッタ５２が支持軸２から外れ、シート材積載台１は回動することができる。また、操作部６０を作動させたあとは、弾性部材６２によりワンウェイトルクリミッタ５２を支持軸２に嵌合させる。
即ち回動規制手段５にワンウェイトルクリミッタ５２を用いているので、摺動手段６を操作せずにシート材積載台１を開こうとしても、操作力がワンウェイトルクリミッタ５２の限界トルクを越えた時点でワンウェイトルクリミッタ５２が空転するため、シート材積載台１を破損することがない。また、操作部６０を作動しワンウェイトルクリミッタ５２を摺動させたあとに、弾性部材６２によってワンウェイトルクリミッタ５２が支持軸２に係合するため、シート材積載台１の収納時に操作部６０を操作することなく回動を防止することができる。
従って、シート材積載台１の使用しない時の回動を防止して、衝突により破損する恐れなどがなくコンパクトで更に操作性の良いシート材給送装置１０を提供することが出来る。
【００１３】
図８は、本発明の実施の形態例にかかるシート材給送装置１０を備えた画像形成装置１００の要部構成を示す正面図である。
図８において、画像形成装置１００は、画像を形成する画像形成ユニット１０１と、画像形成ユニット１０１の側面に画像を形成するシート材（Ｓ）を給送する請求項１乃至１０のいずれか一項に記載のシート材給送装置１０を配置している。画像形成ユニット１０１上に原稿画像読み取りユニット１０２が載置されている。
画像形成ユニット１０１は、電子写真方式の作像プロセスで利便性や汎用性に優れ高速で高品質のトナーの記録画像をシート材（Ｓ）の記録用紙等に形成するようになっている。
原稿画像読み取りユニット１０２の原稿台１２０に載置された原稿（O）を光源１２１が図示の矢印（Ｆ）方向の右方に移動し、このとき、原稿（O）の原稿面が光源１２１により照明され、原稿（O）の画像が結像光学系１２２によって、画像形成ユニット1０１のドラム形状の感光体ドラム１１０上に結像される。
感光体ドラム１１０は、図示の矢印（Ｇ）方向の時計方向に回転し、この時帯電装置１１１によって表面を一様に帯電され、その帯電面に結像光学系１２２により原稿画像が結像される。これによって感光体ドラム１１０上に静電潜像が形成され、この潜像は現像ユニット１１２によってトナー像として可視像化される。
一方、側面に配置されたシート材給送装置１０からシート材（Ｓ）が感光体ドラム１１０に向けて給送され、転写装置１１３によって感光体ドラム１１０上のトナー像がシート材（Ｓ）に転写される。
このシート材（Ｓ）は、定着ユニット１１４を通り、転写されたトナー像がシート材（Ｓ）上に定着され、ついでシート材（Ｓ）は機外に排出されて収納される。
感光体ドラム１１０上に残留するトナーは、クリーニングユニット１１５によって除去されて次工程に備えられる。
従って、シート材積載台１の使用しない時の回動を防止して、ぶつかり不意に破損する恐れなどがなくコンパクトで操作性の良いシート材給送装置１０を備える画像形成装置１００を提供することが出来る。
【図面の簡単な説明】
【００１４】
【図１】本発明の実施の形態例にかかるシート材給送装置の基本構成を示す斜視図である。
【図２】本発明の実施の形態例にかかるシート材給送装置の回動支持部を示す拡大断面図である。
【図３】本発明の実施の形態例にかかるシート材給送装置の回動支持部を示す拡大斜視図である。
【図４】本発明の実施の形態例にかかるシート材給送装置のシート材積載台の回動する状態を示す拡大断面図である。
【図５】本発明の実施の形態例にかかるシート材給送装置のシート材積載台の前面を示す斜視図である。
【図６】本発明の第二の実施の形態例にかかるシート材給送装置の回動支持部を示す拡大断面図である。
【図７】本発明の第二の実施の形態例にかかるシート材給送装置のシート材積載台の回動する状態を示す拡大断面図である。
【図８】本発明の実施の形態例にかかるシート材給送装置を備えた画像形成装置の要部構成を示す正面図である。
【図９】従来の給紙台を使用時に回動させることにより使用可能とする方式の給紙装置の基本構成を示す斜視図である。
【符号の説明】
【００１５】
１  シート材積載台
２  支持軸
３  第一の回動手段
４  第二の回動手段
５  回動規制手段
６  摺動手段
７  筺体部分
８  案内手段
１０  シート材給送装置
１１  回動支持部
１２  支点
１２  給送ローラ
１３  分離パッド
１４  パッド台
１５  底板
１６  開口部
３０  固定軸穴
３１  回動軸穴
４０  付勢手段
５０  ストッパ部
５１  ストッパ
５２  ワンウェイトルクリミッタ
６０  操作部
６１  露出部
６２  弾性部材
７０  カバー部材
８０  案内溝
８１、８２  案内ピン
１００  画像形成装置
１０１  画像形成ユニット
１０２  原稿画像読み取りユニット
１１０  感光体ドラム
１１１  帯電装置
１１２  現像ユニット
１１３  転写装置
１１４  定着ユニット
１１５  クリーニングユニット
１２０  原稿台
１２１  光源
１２２  結像光学系
２０１  給紙台
２０２  支点
２０３  給紙ローラ
２０４  分離パッド
２０５  パッド台
２０７  カバー
２０８  ストッパ
２１０  給紙装置
【図１】
2007112596.tif 000003
【図２】
2007112596.tif 000004
【図３】
2007112596.tif 000005
【図４】
2007112596.tif 000006
【図５】
2007112596.tif 000007
【図６】
2007112596.tif 000008
【図７】
2007112596.tif 000009
【図８】
2007112596.tif 000010
【図９】
2007112596.tif 000011